(57)【要約】【課題】低温環境における高速応答を可能としながら、低消費電力、薄型及び低コストである液晶表示装置を提供する。【解決手段】液晶パネル、バックライト、及び、透明な熱伝導シートを備え、前記バックライトは、光源と、光源の前方を除き、光源の少なくとも後方に設けられた部材とを含み、前記熱伝導シートは、少なくとも表示領域を覆うように前記液晶パネルと対向し、前記部材と接触する液晶表示装置。【選択図】図１
2013137480.tif 000002
【特許請求の範囲】
【請求項１】
液晶パネル、バックライト、及び、透明な熱伝導シートを備え、
前記バックライトは、光源と、光源の前方を除き、光源の少なくとも後方に設けられた部材とを含み、
前記熱伝導シートは、少なくとも表示領域を覆うように前記液晶パネルと対向し、前記部材と接触することを特徴とする液晶表示装置。
【請求項２】
前記熱伝導シートは、光学シートとして機能することを特徴とする請求項１記載の液晶表示装置。
【請求項３】
前記光源は、発光ダイオード素子を含み、
前記部材は、基板を含み、
前記発光ダイオード素子は、前記基板に搭載され、
前記熱伝導シートは、前記基板に接触することを特徴とする請求項１又は２記載の液晶表示装置。
【請求項４】
前記光源は、発光ダイオード素子を含み、
前記部材は、基板及び放熱板を含み、
前記発光ダイオード素子は、前記基板に搭載され、
前記放熱板は、前記基板に取り付けられ、
前記熱伝導シートは、前記基板、及び／又は、前記放熱板に接触することを特徴とする請求項１又は２記載の液晶表示装置。
【請求項５】
前記熱伝導シートは、前記液晶パネルの背面に対向することを特徴とする請求項１〜４のいずれかに記載の液晶表示装置。
【請求項６】
前記熱伝導シートは、前記液晶パネルの前面に対向することを特徴とする請求項１〜５のいずれかに記載の液晶表示装置。
【請求項７】
前記熱伝導シートは、前記液晶パネルに貼りつけられることを特徴とする請求項１〜６のいずれかに記載の液晶表示装置。
【請求項８】
液晶パネル、及び、バックライトを備え、
前記バックライトは、光源と、熱伝導シートと、少なくとも表示領域を覆うように前記液晶パネルと対向する光学シートと、光源の前方を除き、光源の少なくとも後方に設けられた部材とを含み、
前記熱伝導シートは、前記光学シート、及び、前記部材と接触することを特徴とする液晶表示装置。
【請求項９】
前記光源は、発光ダイオード素子を含み、
前記部材は、基板を含み、
前記発光ダイオード素子は、前記基板に搭載され、
前記熱伝導シートは、前記基板に接触することを特徴とする請求項８記載の液晶表示装置。
【請求項１０】
前記光源は、発光ダイオード素子を含み、
前記部材は、基板及び放熱板を含み、
前記発光ダイオード素子は、前記基板に搭載され、
前記放熱板は、前記基板に取り付けられ、
前記熱伝導シートは、前記基板、及び／又は、前記放熱板に接触することを特徴とする請求項８記載の液晶表示装置。
【請求項１１】
前記熱伝導シートは、不透明であることを特徴とする請求項８〜１０のいずれかに記載の液晶表示装置。
【請求項１２】
前記熱伝導シートは、グラファイトシートを含むことを特徴とする請求項８〜１１のいずれかに記載の液晶表示装置。
【発明の詳細な説明】
【技術分野】
【０００１】
本発明は、液晶表示装置に関する。より詳しくは、低温環境下でも高速応答が求められる液晶表示装置等に好適な液晶表示装置に関するものである。
【背景技術】
【０００２】
液晶表示装置（液晶モジュール）は、薄型、軽量、低消費電力の利点を有し、近年においては、視野角や応答速度といった特性も大きく向上されたことにともなって、テレビ、パソコン、ＰＤＡ等の表示機器として広く使用されている。特に近年では、ディスプレイの高機能、高性能化により、３Ｄ表示や４倍速表示を行う液晶表示装置が登場し、液晶の更なる高速応答性が求められることとなった。そのため、液晶の応答速度特性を向上する手法が種々検討されている。
【０００３】
例えば、液晶表示装置に、発熱パネルを入れることが知られている。例えば、液晶パネルの下面側に発熱パネルを密接して設け、周囲温度が低い場合には、この発熱パネルを発熱させて液晶パネルを加熱することで、液晶の温度が上昇し、液晶の応答速度を速くすることが可能な液晶表示装置が知られている（例えば、特許文献１参照。）。
【先行技術文献】
【特許文献】
【０００４】
【特許文献１】特開平８−１７１０８４号公報
【発明の概要】
【発明が解決しようとする課題】
【０００５】
液晶の応答速度特性は、温度によって大きく依存する。すなわち、液晶は、低温下では粘性が増すため、外気温が低い場合、液晶の応答速度は著しく低下してしまう。特に３Ｄ表示を行う液晶表示装置では、液晶の応答速度が低下すると、クロストークと呼ばれる映像の二重表示が発生してしまうため、場合によっては３Ｄに見えなくなってしまうという致命的な問題となるおそれがある。このような液晶の応答速度の低下への対策手法として、液晶パネルの温度を回路へフィードバックし、温度に応じて電圧をかける（低温であるとき高電圧をかける）手法が挙げられる。
【０００６】
また上記のように従来は、温度に応じて高電圧をかけることや、シート状のヒーターを用いることにより、液晶の応答速度の低下への対策を行っていた。しかしながら、前者の場合、温度に応じて電圧をかけても、液晶自身の特性が低温時には高温時と異なってしまうことによって生じる差異を補いきれない場合がある。また、後者の場合、シート状のヒーターを追加しているため、消費電力、液晶表示装置全体としての外形、及び、コストの３つの面でデメリットが生じると考えられる。
【０００７】
例えば、特許文献１に記載の液晶表示装置では、液晶パネルの加温に発熱パネルを用いているため、発熱パネルへの電力供給が必要になり、液晶表示装置全体として消費電力が上昇してしまう。また、発熱パネルを液晶表示装置内に組み込むため、液晶表示装置全体としての厚みが増してしまう。更に、発熱パネルの製造及び取り付けによるコストの上昇を招いてしまうと考えられる。
【０００８】
本発明は、上記現状に鑑みてなされたものであり、低温環境における高速応答を可能としながら、低消費電力、薄型及び低コストである液晶表示装置を提供することを目的とするものである。
【課題を解決するための手段】
【０００９】
本発明者は、低温環境における高速応答を可能としながら、低消費電力、薄型及び低コストである液晶表示装置について種々検討したところ、発光ダイオード（LED: Light Emitting Diode）等のバックライトに設けられる光源に着目した。
【００１０】
従来の液晶表示装置においては、バックライトの光源では高熱が発生しており、他の部材を損傷させる可能性がある。そのため、光源で発生した熱は、通常、ヒートスプレッダー等によって液晶表示装置の外部に放出されるように設計されている。図１２及び図１３を用いて、バックライトの光源としてＬＥＤを用いたエッジライト型の液晶表示装置を例に、従来の液晶表示装置における熱の移動について説明する。図１２は、従来の液晶表示装置における熱の移動を示した断面模式図であり、図１３は、従来の液晶表示装置における熱の分布を示した平面模式図である。図１２に示すように、従来の液晶表示装置１００１は、導光板１０１０と、ＬＥＤ１０１２及び配線基板１０１３を含む発光部１０１１と、光学シート１０１４と、液晶パネル１０１６と、保持部材１０３０と、表側外枠１０３１と、裏側外枠１０３２と、放熱板（ヒートスプレッダー）１０３３とを備える。従来の液晶表示装置１００１においては、外気温が低く、液晶パネル１０１６の温度が低下し、液晶の応答速度が充分でない場合であっても、ＬＥＤ１０１２から発生した熱は、放熱板１０３３を介して、液晶表示装置１００１の背面から放出していた。その結果、図１３に示すように、液晶パネル１０１６のＬＥＤ１０１２に近い部分は、ＬＥＤ１０１２からの熱により温度が比較的高くなるが、ＬＥＤ１０１２からは遠い液晶パネル１０１６の中央部には、ＬＥＤ１０１２からの熱は充分に伝わらず、液晶パネル１０１６の中央部は、外気温の影響により温度が比較的低くなっていた。
【００１１】
このように従来の液晶表示装置は、液晶は低温時に加熱される必要がありながら、バックライトの光源で発生した熱は、液晶表示装置外に排出されており、全体として矛盾した設計となっていることを本発明者は見出した。そして、本発明者は、バックライトの光源で発生する熱を液晶パネルの加温に用いればよいのではないかと考えるに至り、更に鋭意検討した。その結果、透明な熱伝導シート（熱伝導性の高い透明のシート）を用いてＬＥＤ等のバックライトの光源で発生した熱を液晶パネルに伝達することにより、より具体的には、バックライトに、光源と、光源の前方を除き、光源の少なくとも後方に設けられた部材とを設け、また、少なくとも表示領域を覆うように透明な熱伝導シートを液晶パネルに対向させ、更に、熱伝導シートを前記部材に接触させることにより、これまで不要のものとして排出していた熱を液晶の加熱に活用し、別途ヒーターを設けることなく液晶を加熱し、液晶の応答速度を向上させることを可能とし、上記課題をみごとに解決することができることに想到し、本発明に到達したものである。
【００１２】
すなわち、本発明の一側面は、液晶パネル、バックライト、及び、透明な熱伝導シートを備え、前記バックライトは、光源と、光源の前方を除き、光源の少なくとも後方に設けられた部材（以下では、周辺部材とも言う。）とを含み、前記熱伝導シートは、少なくとも表示領域を覆うように前記液晶パネルと対向し、前記部材と接触する液晶表示装置（以下では、本発明に係る第一の液晶表示装置とも言う。）である。
【００１３】
上記の通り、特許文献１に記載の液晶表示装置においては、発熱パネルを用いて液晶パネルを温めているが、本発明に係る第一の液晶表示装置では、透明な熱伝導シートを用いてバックライトで発生した熱によって液晶パネルを温める。このように、特許文献１に記載の液晶表示装置と本発明に係る第一の液晶表示装置とは、液晶の応答速度向上のため、液晶パネルを温めるという目的は同じくするものであっても、本発明に係る第一の液晶表示装置のポイントは、光源の熱を熱伝導シート（熱伝導性の高い透明なシート）により液晶パネルに伝えることで、従来は液晶表示装置の外に捨てていた熱を有効に活用し、液晶パネルを温める点にあり、目的を達成するための部材や手法は全く異なるものであると言える。このように、本発明に係る第一の液晶表示装置は、液晶を加熱するための発熱パネルを必要としないため、低消費電力化、薄型化、及び、低コスト化も図ることができる。
【００１４】
本発明者はまた、バックライトに、光源と、光源の前方を除き、光源の少なくとも後方に設けられた部材と、少なくとも表示領域を覆うように液晶パネルと対向する光学シートと、光学シート及び前記部材に接触する熱伝導シートとを設けることにより、光源で発生した熱を熱伝導シート、光学シート、及び、液晶パネルの順に伝えることができ、上記課題をみごとに解決することができることに想到した。
【００１５】
すなわち、本発明の別の側面は、液晶パネル、及び、バックライトを備え、前記バックライトは、光源と、熱伝導シートと、少なくとも表示領域を覆うように前記液晶パネルと対向する光学シートと、光源の前方を除き、光源の少なくとも後方に設けられた部材（以下では、周辺部材とも言う。）とを含み、前記熱伝導シートは、前記光学シート、及び、前記部材と接触する液晶表示装置（以下では、本発明に係る第二の液晶表示装置とも言う。）である。
【００１６】
以下、本発明に係る第一及び第二の液晶表示装置について詳述する。
【００１７】
前記バックライトは、前記液晶パネルに光を照射する装置であり、エッジライト方式（サイドライト方式、又は、導光板方式とも言う。）であってもよいし、直下型方式であってもよい。
【００１８】
前記光源は、光及び熱を発する素子であり、具体例としては、例えば、ＬＥＤや冷陰極管が挙げられる。
【００１９】
前記表示領域とは、複数の画素を含み、画像表示を行う領域（アクティブ・エリア）である。また、各画素間を遮光する遮光部を含んでもよい。
【００２０】
前記光源の前方とは、光源からの光を取り出す方向を意味する。したがって、例えば、前記バックライトがエッジライト型である場合、前記周辺部材は、通常、光源及び導光板の間に設けられず、前記バックライトが直下型である場合、前記周辺部材は、通常、光源及び液晶パネルの間に設けられない。
【００２１】
なお、前記光源の後方とは、前記光源の前方の反対の方向を意味する。また、前記周辺部材は、前記光源の側方にも設けられてもよい。
【００２２】
前記周辺部材は、光源と直接接触することが好ましいが、光源から発生する熱が充分に伝えられる距離であれば、空気層を介して光源と離れていてもよい。具体的には、前記周辺部材は、光源から２ｍｍ（好ましくは１ｍｍ、より好ましくは０．５ｍｍ）以下の距離で離れていてもよい。
【００２３】
前記熱伝導シートは、熱伝導性の高いシートであり、光源から発生した熱を液晶パネルに供給する。
【００２４】
なお、本明細書において、シートと呼ばれる部材の厚みは特に限定されず、フィルムであってもよい。
【００２５】
前記光学シートとは、液晶表示装置の表示性能に影響を与える光学部材であり、具体例としては、プリズムシート、拡散シート、輝度向上シート等が挙げられる。前記光学シートの枚数は特に限定されず、適宜設定することができる。なお、プリズムシートは、異なる角度で進む光を角度的に配向し直すシートである。拡散シートは、光を拡散させて、大きな輝度ムラや色ムラが生じるのを抑えるシートである。輝度向上シートは、光の利用効率を高め、液晶表示装置の輝度を向上させるシートである。
【００２６】
本発明に係る第一及び第二の液晶表示装置は各々、このような構成要素を必須として形成されるものである限り、その他の構成要素により特に限定されるものではない。
【００２７】
以下、本発明に係る第一及び第二の液晶表示装置の他の好ましい形態について説明する。なお、本発明に係る第一及び第二の液晶表示装置の各種形態は、適宜組み合わせることができる。
【００２８】
本発明に係る第一の液晶表示装置において、前記熱伝導シートは、光学シートとして機能することが好ましい。これにより、本発明に係る第一の液晶表示装置に光学シートを設ける必要がある場合であっても、別途光学シートを形成する必要がなくなるか、光学シートの枚数を削減できるため、更なるコストの削減を図ることができる。
【００２９】
本発明に係る第一及び第二の液晶表示装置において、前記光源は、発光ダイオード素子（ＬＥＤ）を含み、前記周辺部材は、基板を含み、前記発光ダイオード素子は、前記基板に搭載され、前記熱伝導シートは、前記基板に接触することが好ましい。ＬＥＤを光源に用いることで、液晶表示装置の薄型化や省エネルギー化、バックライトの寿命の向上等を図ることができる。このとき、ＬＥＤが取り付けられた基板に熱伝導シートを接触させることで、熱伝導シートを介して、ＬＥＤから発せられた熱を液晶パネルに効率よく伝えることができる。
【００３０】
本発明に係る第一及び第二の液晶表示装置において、前記光源は、発光ダイオード素子を含み、前記周辺部材は、基板及び放熱板を含み、前記発光ダイオード素子は、前記基板に搭載され、前記放熱板は、前記基板に取り付けられ、前記熱伝導シートは、前記基板、及び／又は、前記放熱板に接触することが好ましい。これにより、ＬＥＤから発せられた熱が過剰となる場合、放熱板を介して液晶表示装置外に熱を放出することが可能となり、液晶への熱の供給と過剰な熱の排熱とを両立させることができる。なお、放熱板は、通常、前記基板の前記発光ダイオード素子が搭載された面の反対側の面に取り付けられる。
【００３１】
本発明に係る第一の液晶表示装置において、前記熱伝導シートは、前記液晶パネルの背面に対向することが好ましい。光源は、通常、液晶パネルの背面側に備えられ、熱伝導シートを液晶パネルの背面側に容易に備え付けることができるためである。
【００３２】
他方、本発明に係る第一の液晶表示装置において、前記熱伝導シートは、前記液晶パネルの前面に対向してもよい。これにより、熱伝導シートによって、液晶パネルに熱を伝えるだけでなく、過剰な熱が発生した場合、過剰な熱を効率よく液晶表示装置外に放出することができる。
【００３３】
本発明に係る第一の液晶表示装置において、前記熱伝導シートは、前記液晶パネルに貼りつけられることが好ましい。これにより、更に効率よく光源から発せられた熱を液晶パネルに伝えることができる。
【００３４】
本発明に係る第二の液晶表示装置において、前記熱伝導シートは、透明であってもよいが、不透明であることが好ましい。後者によれば、前記熱伝導シートとして、グラファイトシート等の高い熱伝導性を有するシートを利用することができる。したがって、前者の場合に比べて、より効率的に液晶パネルに熱を伝えることができる。
【００３５】
同様の観点から、本発明に係る第二の液晶表示装置において、前記熱伝導シートは、グラファイトシートを含むことが好ましい。
【発明の効果】
【００３６】
本発明によれば、低温環境における高速応答を可能としながら、低消費電力、薄型及び低コストである液晶表示装置を提供することができる。
【図面の簡単な説明】
【００３７】
【図１】実施形態１に係る液晶表示装置の分解斜視模式図である。
【図２】実施形態１に係る液晶表示装置の断面模式図である。
【図３】図２の点線で囲まれた領域を拡大した断面模式図である。
【図４】実施形態１に係る液晶表示装置の変形例を示す断面模式図である。
【図５】実施形態１に係る液晶表示装置における熱の移動を示した断面模式図である。
【図６】実施形態２に係る液晶表示装置における熱の移動を示した断面模式図である。
【図７】実施形態３に係る液晶表示装置における熱の移動を示した断面模式図である。
【図８】実施形態４に係る液晶表示装置における熱の移動を示した断面模式図である。
【図９】実施形態５に係る液晶表示装置における熱の移動を示した断面模式図である。
【図１０】実施形態６に係る液晶表示装置の断面模式図である。
【図１１】実施形態７に係る液晶表示装置の断面模式図である。
【図１２】従来の液晶表示装置における熱の移動を示した断面模式図である。
【図１３】従来の液晶表示装置における熱の分布を示した平面模式図である。
【発明を実施するための形態】
【００３８】
以下に実施形態を掲げ、本発明について図面を参照して更に詳細に説明するが、本発明はこれらの実施形態のみに限定されるものではない。
【００３９】
実施形態１
図１〜５を用いて、実施形態１に係る液晶表示装置について説明する。図１は、実施形態１に係る液晶表示装置の分解斜視模式図である。図２は、実施形態１に係る液晶表示装置の断面模式図である。図３は、図２の点線で囲まれた領域を拡大した断面模式図である。実施形態１に係る液晶表示装置１は、裏側外枠、保持部材（いずれも図１〜３では図示せず。）、保持部材によって保持された導光板１０、光学シート１４、矩形状の透明な熱伝導シート１５、液晶パネル１６、及び、表側外枠（図１〜３では図示せず）をこの順に備える。また、導光板１０の互いに対向する２つの側面の各々の近傍には、光源である発光ダイオード素子（ＬＥＤ）１２と、ＬＥＤ１２が取り付けられた配線基板１３とを含む発光部１１が配される。更に、熱伝導シート１５の互いに対向する両端部のうち、一方の端部は、一方の配線基板１３に取り付けられ、他方の端部は、他方の配線基板１３に取り付けられる。導光板１０、発光部１１、光学シート１４、及び、熱伝導シート１５は、バックライトに含まれる。なお、図１〜３では、熱伝導シート１５は、配線基板１３のＬＥＤ１２が取り付けられた面と反対側の面（以下では、配線基板の裏面とも言う。）に取り付けられている。このように、実施形態１に係る液晶表示装置１は、液晶パネル１６と光学シート１４の間に、熱伝導シート１５を挟む構造を有し、更に、熱伝導シート１５の端部を配線基板１３と接触させ、ＬＥＤ１２で発生した熱を液晶パネル１６側へと供給する。
【００４０】
ＬＥＤ１２は、配線基板１３の表面に実装された、いわゆる表面実装型ＬＥＤである。ＬＥＤ１２は、配線基板１３に当接する面に対向する面から光を発する。ＬＥＤ１２は、白色ＬＥＤであってもよいし、複数色（例えば、赤、緑、青の３色）のＬＥＤを含んでもよい。
【００４１】
配線基板１３は、前記周辺部材に相当し、支持基板と、支持基板上に形成された絶縁層と、絶縁層上に各々形成された、複数の配線及び複数の接続端子とを備える。各接続端子は、いずれかの配線を介して対応するＬＥＤ１２に接続される。接続端子には、ＦＦＣ（Ｆｌｅｘｉｂｌｅ  Ｆｌａｔ  Ｃａｂｌｅ）、ＦＰＣ（Ｆｌｅｘｉｂｌｅ  Ｐｒｉｎｔｅｄ  Ｃｉｒｃｕｉｔ）等の配線部材を介して駆動回路からＬＥＤ１２の点灯に必要な電力が供給される。このようにして、ＬＥＤ１２の点灯及び消灯が制御される。支持基板の材料としては特に限定されず、例えば、ガラスエポシキ（ＦＲ４）、紙フェノール等が挙げられるが、支持基板に伝わる熱を効果的に熱伝導シート１５に伝える観点からは、アルミニウム等の金属が好ましい。
【００４２】
導光板１０は、側面から入光したＬＥＤ１２の光を、内部で拡散させながら液晶パネル１６の表示領域と対向する面から出光する部材である。導光板１０は、アクリル樹脂、ポリカーボネート樹脂等の合成樹脂材から形成される。
【００４３】
光学シート１４は、液晶表示装置の表示性能に影響を与える光学部材であり、異なる角度で進む光を角度的に配向し直すプリズムシートや、光を拡散させて、大きな輝度ムラや色ムラが生じるのを抑える拡散シート、光の利用効率を高め、液晶表示装置の輝度を向上させる輝度向上シート等、複数のシートからなる。光学シート１４は通常、１又は２枚の拡散シートと、１又は２枚のプリズムシートとを含み、１枚の輝度向上シートを含むか、又は、輝度向上シートを含まない。光学シート１４は、液晶パネル１６の表示領域の全域に重なる。
【００４４】
熱伝導シート１５は、熱伝導性の高い透明性のシートであり、具体的には、熱伝導率が０．５Ｗ／ｍ・ｋ（より好ましくは１Ｗ／ｍ・ｋ、更に好ましくは５Ｗ／ｍ・ｋ）以上であることが好ましい。なお、熱伝導シート１５の熱伝導率の上限については特に限定されず、適宜設定することができる。熱伝導シート１５の透過率は、波長３８０ｎｍの光に対して６０％以上（好ましくは８０％以上、より好ましくは９０％以上）である。熱伝導シート１５は、透明な基材と、透明な基材内に混入された熱伝導性及び透明性の高いフィラー（以下、第一のフィラーとも言う。）とを含む材料を用いて形成され、このような材料を用いて形成された複数のシートが積層されたものであってもよい。透明な基材としては、例えば、ポリカーボネート（ＰＣ）、エポキシ樹脂、シリコーン、これらの混合物等が挙げられる。第一のフィラーの材料としては、例えば、窒化アルミニウム、窒化ホウ素、酸化ベリリウム、酸化アルミニウム、酸化マグネシウム、窒化ケイ素等の絶縁性物質が挙げられる。第一のフィラーの形状としては、例えば、繊維状、球状等が挙げられるが、熱伝導シート１５の平面方向での熱伝導性を向上する観点からは、繊維状であることが好ましく、この場合、第一のフィラーは、熱伝導シート１５の平面方向に配向していることが好ましい。第一のフィラーの大きさは、０．１μｍ以上であることが好ましく、該範囲内でできるだけ小さいことが好ましい。第一のフィラーの大きさの上限に関しては、１０μｍ以下（より好ましくは１μｍ以下、更に好ましくは０．３μｍ以下）であることが好ましい。なお、第一のフィラーの大きさは、繊維状の場合は太さ（直径）を意味する。熱伝導シート１５の材料としては、ＬＥＤチップ封止用の材料（例えば、シリコーン）も挙げられ、熱伝導シート１５は、この材料をシート状に成形することによって形成されてもよい。なお、ＬＥＤチップ封止用の材料を利用する場合、この材料は、蛍光体を含まなくてよい。
【００４５】
熱伝導シート１５は、液晶パネル１６の表示領域と対向し、表示領域の全域に重なる。また、熱伝導シート１５の端部は、配線基板１３と接触する。したがって、熱伝導シート１５は通常、光学シート１４より大きな面積を有する。熱伝導シート１５を配線基板１３に接触させる方法としては、例えば、熱伝導シート１５を配線基板１３に接着材又は粘着材で貼り付ける方法、保持部材で熱伝導シート１５を配線基板１３に抑え付ける方法等が挙げられるが、なかでも接着剤で貼りつける方法が好ましい。熱伝導シート１５上に、すなわち、熱伝導シート１５及び液晶パネル１６の間に光学シート１４が配されてもよいが、効率よく液晶パネル１６に熱を伝える観点からは、熱伝導シート１５の端部を除く大部分は、光学シート１４上に、すなわち、光学シート１４及び液晶パネル１６の間に配されるのが好ましい。熱伝導シート１５の平面形状は特に限定されず、表示領域の平面形状、発光部１１のレイアウト等の設計に応じて適宜設定することができる。
【００４６】
液晶パネル１６は、スイッチング素子である薄膜トランジスタ（ＴＦＴ）が設けられたＴＦＴ基板１８と、ＴＦＴ基板１８に対向し、カラーフィルタが設けられたＣＦ基板１９と、ＴＦＴ基板１８及びＣＦ基板１９の間に挟持され、液晶組成物からなる液晶層（図示せず）と、ＴＦＴ基板１８に貼りつけられた偏光板１７と、ＣＦ基板１９に貼りつけられた偏光板２０とを含む。
【００４７】
図４は、実施形態１に係る液晶表示装置の変形例を示す断面模式図である。図１〜３では、光源としてＬＥＤ１２を備える発光部１１を示したが、例えば、図４に示すように、実施形態１に係る液晶表示装置１は、光源として冷陰極管１１２を備える発光部１１１を有していてもよい。発光部１１１は、冷陰極管１１２の周りに反射部材１１３を備え、熱伝導シート１５の端面は、反射部材１１３に取り付けられる。反射部材１１３は、前記周辺部材に相当し、冷陰極管１１２が発する光を導光板１０に向かって反射する。
【００４８】
また、実施形態１に係るバックライトは、導光板を備えたエッジライト型に限定されず、例えば、直下型であってもよい。直下型のバックライトの場合も、熱伝導シート１５の端面は、光源、又は、光源の周囲（通常は、後方）に配された部材（周辺部材）、例えば、光源保持部材と取り付けられる。
【００４９】
図５は、実施形態１に係る液晶表示装置における熱の移動を示した断面模式図である。図５に示すように、液晶パネル１６は、保持部材３０に保持され、液晶表示装置１の前面（表示面）側には、表側外枠３１、背面側には、裏側外枠３２が取り付けられる。また、図５に示すように、ＬＥＤ１２で発生した熱は、配線基板１３を介して熱伝導シート１５に伝えられる。そして、熱伝導シート１５により、液晶パネル１６の表示領域全体に熱が伝えられ、従来の液晶表示装置では外に放出されていた熱を活用して、液晶パネル１６の温度を上昇させる。その結果、液晶の高速応答を可能とすることができる。また、発熱パネル等の液晶を加熱するためだけに用いられる構成を必要としないため、発熱パネル等を用いる液晶表示装置よりも、低消費電力で薄型でかつ、低コストとすることができる。
【００５０】
実施形態１に係る液晶表示装置の駆動方法、モードは特に限定されないが、実施形態１に係る液晶表示装置は、液晶の高速応答性が求められる３Ｄ表示を行う液晶表示装置や、４倍速表示を行う液晶表示装置等が好ましい。特に３Ｄ表示を行う液晶表示装置では、液晶の応答速度が低下すると、クロストークが発生し、３Ｄに見えなくなってしまうという致命的な問題が生じるおそれがあるため、実施形態１に係る液晶表示装置は、３Ｄ表示を行う液晶表示装置であることがより好ましい。現状では、３Ｄ表示を行う液晶表示装置において、ヒーターを用いて応答速度の低下への対策を行うことも有るが、実施形態１に係る液晶表示装置は、ヒーター等の液晶に熱を与えるためだけに用いられる構造を必要としない点で従来の液晶表示装置よりも優れる。
【００５１】
実施形態２
図６は、実施形態２に係る液晶表示装置における熱の移動を示した断面模式図である。図６に示すように、実施形態２に係る液晶表示装置２０１は、ＬＥＤ２１２から発生した熱を液晶表示装置２０１外に放出するための放熱板（ヒートスプレッダー）２３３を備える。放熱板２３３は、前記周辺部材に相当し、熱伝導シート２１５を介して、ＬＥＤ２１２が取り付けられた配線基板２１３の裏面に取り付けられる。これにより、ＬＥＤ２１２の発熱量が大きく、排熱性能をより高くする必要がある場合、放熱板２３３によって余分な熱を液晶表示装置２０１外に放出しながら、熱伝導シート２１５により液晶パネル２１６の加温を行うことができる。なお、放熱板２３３の取り付け方法としては、例えば、放熱板２３３を熱伝導シート２１５に接着材で貼り付ける方法、配線基板２１３及び放熱板２３３の間に熱伝導シート２１５を挟んだ状態で両者をビス止めする方法等が挙げられる。また、図６では、熱伝導シート２１５は、配線基板２１３と放熱板２３３との間に設けられているが、放熱板２３３が配線基板２１３の裏面に直接取り付けられ、放熱板２３３の配線基板２１３が取り付けられた面と反対側の面に熱伝導シート２１５が設けられてもよい。
【００５２】
放熱板２３３は、アルミニウム、銅等の熱伝導性の高い金属から形成される。また、放熱板２３３は、その一端を除いて、大部分が導光板２１０の後方に回り込んでいる。また、放熱板２３３は、アルミニウム等の熱伝導性の高い材料から形成された裏側外枠２３２に接している。
【００５３】
実施形態２に係る液晶表示装置２０１のその他の構成（例えば、発光部２１１、光学シート２１４、液晶パネル２１６、保持部材２３０、表側外枠２３１）は、実施形態１に係る液晶表示装置１の構成と同様であるため、ここでの詳細な説明は省略する。
【００５４】
実施形態２に係る液晶表示装置２０１によっても、実施形態１に係る液晶表示装置１と同様の効果が得られる。更に、実施形態２に係る液晶表示装置２０１によれば、ＬＥＤ２１２から発せられた過剰な熱を効率よく液晶表示装置２０１外に放出することができる。なお、放熱板２３３の表面積及び熱伝導率を調整することで、排熱性能と液晶パネル２１６に供給される熱量とのバランスを調整することが可能である。
【００５５】
実施形態３
図７は、実施形態３に係る液晶表示装置における熱の移動を示した断面模式図である。実施形態３に係る液晶表示装置３０１は、光学シート３１４と、光学シートとしても機能する熱伝導シート３１５とを備える。このとき、熱伝導シート３１５は、拡散シートとして機能してもよいし、プリズムシートとして機能してもよいし、輝度向上シートとして機能してもよい。熱伝導３１５の機能と、光学シート３１４の枚数と、熱伝導シート３１５及び光学シート３１４の配置順序とは特に限定されず、適宜設定することができるが、図７では、熱伝導シート３１５は、光学シート３１４（拡散シート）上に配され、プリズムシートとして機能している。また、熱伝導シート３１５が拡散シートとして機能する場合は、熱伝導シート３１５上に光学シート３１４（プリズムシート）が配されてもよい。更に、熱伝導シート３１５は、拡散シートとプリズムシートが積層されたものであってもよく、このとき、光学シート３１４は設けられなくてもよい。また、光学シート３１４は、熱伝導シート３１５上に、すなわち、熱伝導シート３１５及び液晶パネル３１６の間に配されてもよい
【００５６】
拡散シートとして機能する熱伝導シート３１５の材料としては、例えば、透明樹脂（例えば、ＰＣ、ポリエチレンテレフタラート（ＰＥＴ））に、通常の拡散ビーズと、熱伝導性の高い、透明又は白色のフィラー（以下、第二のフィラーとも言う。）とを添加した材料が挙げられ、その形成方法としては、通常の拡散シートの形成方法と同様の方法が挙げられる。
【００５７】
プリズムシートとして機能する熱伝導シート３１５の材料としては、例えば、透明樹脂（例えば、ＰＥＴ、アクリル樹脂、ＰＣ、又は、それらの混合物）に、透明で熱伝導性の高いフィラー（以下、第三のフィラーとも言う。）を添加した材料が挙げられ、その形成方法としては、通常のプリズムシートの形成方法と同様の方法が挙げられる。
【００５８】
輝度向上シートとして機能する熱伝導シート３１５を作製する方法としては、輝度向上シート内にビーズが拡散されたフィルム層を設け、そして、拡散シートの形成方法と同様にして、透明樹脂（例えば、ＰＣ、ポリエチレンテレフタラート（ＰＥＴ））に、通常の拡散ビーズと、熱伝導性の高い、透明又は白色のフィラー（以下、第四のフィラーとも言う。）とを添加した材料を用いて該フィルム層を形成する方法が挙げられる。なお、該フィルム層以外の層については、通常の輝度向上フィルムと同様の層を用いることができる。
【００５９】
第二、第三及び第四のフィラーの材料としては、例えば、窒化アルミニウム、窒化ホウ素、酸化ベリリウム、酸化アルミニウム、酸化マグネシウム、窒化ケイ素等の絶縁性物質が挙げられる。第二、第三及び第四のフィラーの形状としては、例えば、繊維状、球状等が挙げられるが、熱伝導シート３１５の平面方向での熱伝導性を向上する観点からは、繊維状であることが好ましく、この場合、第二、第三及び第四のフィラーは、熱伝導シート３１５の平面方向に配向していることが好ましい。第二、第三及び第四のフィラーの大きさは、０．１μｍ以上であることが好ましく、該範囲内でできるだけ小さいことが好ましい。第二、第三及び第四のフィラーの大きさの上限に関しては、１０μｍ以下（より好ましくは１μｍ以下、更に好ましくは０．３μｍ以下）であることが好ましい。なお、第二、第三及び第四のフィラーの大きさは、繊維状の場合は太さ（直径）を意味する。
【００６０】
熱伝導シート３１５は、ＬＥＤ３１２からの熱により熱膨張し得るが、熱膨張率が大きすぎると、熱伝導シート３１５の光学シートとしての機能が低下するおそれがある。したがって、熱伝導シート３１５の熱膨張率は、７．０×１０−５／Ｋ以下であることが好ましい。なお、熱伝導シート３１５の熱膨張率をこの程度に調整する方法は特に限定されないが、上述の方法により熱伝導シート３１５を作製すれば、この程度の熱膨張率を達成することができる。
【００６１】
実施形態３に係る液晶表示装置３０１のその他の構成（例えば、導光板３１０、発光部３１１、配線基板３１３、液晶パネル３１６、保持部材３３０、表側外枠３３１、裏側外枠３３２）は、実施形態１に係る液晶表示装置１の構成と同様であるため、ここでの詳細な説明は省略する。
【００６２】
実施形態３に係る液晶表示装置３０１によっても、実施形態１に係る液晶表示装置１と同様の効果が得られる。更に、実施形態３に係る液晶表示装置３０１においては、熱伝導シート３１５が光学シートとしても機能するため、通常用いられる光学シートの枚数を削減することができる。また、熱伝導シート３１５の光学シートとしての機能によっては、別途光学シートを形成する必要がなくなる。その結果、更なるコストの削減を図ることができる。
【００６３】
実施形態４
図８は、実施形態４に係る液晶表示装置における熱の移動を示した断面模式図である。図８に示すように、実施形態４に係る液晶表示装置４０１においては、熱伝導シート４１５は、液晶パネル４１６の背面（表示面の反対側の面）に貼りつけられる。これにより、更に効率よくＬＥＤ４１２から発せられた熱を液晶パネル４１６に伝えることができる。
【００６４】
実施形態４に係る液晶表示装置４０１においては、図８に示すように、液晶パネル４１６の表示領域の全域に熱伝導シート４１５が貼りつけられることが好ましいが、液晶パネル４１６の中央部が特に低温になりやすいことを考慮し、液晶パネル４１６の中央部と対向する面にのみ貼りつけられてもよい。
【００６５】
なお、実施形態１に係る液晶表示装置１においては、熱伝導シート１５を配線基板１３に取り付けた後に、保持部材３０に保持された液晶パネル１６を取り付けることができる。一方、実施形態４に係る液晶表示装置４０１は、以下の方法で組み立てることができる。図８に示すように、保持部材４３０に貫通孔を設け、熱伝導シート４１５を該貫通孔に通すことによって、熱伝導シート４１５を液晶パネル４１６の背面に貼りつけるとともに配線基板４１３に取りつける。熱伝導シート４１５は、液晶パネル４１６に接着層又は粘着層を介して貼りつけられる。
【００６６】
実施形態４に係る液晶表示装置４０１のその他の構成（例えば、導光板４１０、発光部４１１、光学シート４１４、表側外枠４３１、裏側外枠４３２）は、実施形態１に係る液晶表示装置１の構成と同様であるため、ここでの詳細な説明は省略する。
【００６７】
実施形態５
図９は、実施形態５に係る液晶表示装置における熱の移動を示した断面模式図である。実施形態４に係る液晶表示装置４０１では、熱伝導シート４１５は、液晶パネル４１６の背面に貼りつけられていたが、実施形態５に係る液晶表示装置５０１では、図９に示すように、熱伝導シート４１５は、液晶パネル４１６の前面（表示面）に貼りつけられる。これにより、実施形態４に係る液晶表示装置４０１と同様に、更に効率よくＬＥＤ５１２から発せられた熱を液晶パネル５１６に伝えることができる。また、液晶パネル５１６に熱を伝えるだけでなく、過剰な熱を効率よく液晶表示装置５０１外に放出することができる。すなわち、液晶パネル５１６への加熱と、過剰な熱の排熱との両方を同時に確保することができる。
【００６８】
実施形態５に係る液晶表示装置５０１においても、実施形態４に係る液晶表示装置４０１と同様に、液晶パネル５１６への熱伝導シート５１５の貼りつけを行うため、実施形態４で説明した機構的な制約が生じるおそれがある。
【００６９】
更に、実施形態５に係る液晶表示装置５０１においては、熱伝導シート５１５を液晶パネル５１６の前面側に取り付けるためには、液晶パネルの前面から、ＬＥＤ５１２周辺までの経路を確保する必要がある。そのためには、例えば、保持部材５３０に貫通孔を設け、熱伝導シート５１５を貫通孔に通すことが考えられる。また、熱伝導シート５１５を液晶パネル５１６の前面に貼りつけるとともに、液晶パネル５１６の側面、及び、液晶パネル５１６の背面の一部にまで伸長して貼りつけることで、保持部材５３０を迂回することも考えられる。更に、熱伝導シート５１５を液晶パネル５１６の前面に貼りつけ、保持部材５３０の外側に熱伝導シート５１５を伸長する、すなわち、保持部材５３０と表側外枠５３１との間に熱伝導シート５１５の経路を設けてもよい。
【００７０】
実施形態５に係る液晶表示装置５０１のその他の構成（例えば、導光板５１０、発光部５１１、配線基板５１３、光学シート５１４、裏側外枠５３２）は、実施形態１に係る液晶表示装置１の構成と同様であるため、ここでの詳細な説明は省略する。
【００７１】
実施形態６
図１０は、実施形態６に係る液晶表示装置の断面模式図である。図１０に示すように、実施形態６に係る液晶表示装置６０１は、２枚の矩形状の熱伝導シート６１５を備える。熱伝導シート６１５各々の互いに対向する両端部のうち、一方の端部は、配線基板６１３に取り付けられ、他方の端部は、光学シート６１４に取り付けられる。熱伝導シート６１５は、配線基板６１３の裏面に取り付けられている。このように、実施形態６の液晶表示装置６０１は、熱伝導シート６１５を配線基板６１３及び光学シート６１４と接触させ、ＬＥＤ１２で発生した熱を熱伝導シート６１５、光学シート６１４及び液晶パネル６１６の順に伝える。
【００７２】
熱伝導シート６１５は、熱伝導性の高い透明又は不透明（好適には不透明）なシートである。熱伝導率シート６１５が透明な場合、その特性、例えば熱伝導率、透過率等は、実施形態１の熱伝導シート１５と同様に設定すればよい。また、透明な場合、熱伝導シート６１５の材料としては、熱伝導シート１５と同じものが挙げられる。不透明な場合は、熱伝導シート６１５の熱伝導率は、面方向において、３００Ｗ／ｍ・ｋ（より好ましくは５００Ｗ／ｍ・ｋ、更に好ましくは１０００Ｗ／ｍ・ｋ）以上であることが好ましく、熱伝導シート６１５の熱伝導率の上限については特に限定されず、適宜設定することができる。また、不透明な場合、熱伝導シート６１５の透過率は、波長５５５ｎｍの光に対して１％以下（好ましくは０．１％以下、より好ましくは０．０１％以下）である。更に、不透明な場合、熱伝導シート６１５の材料としては、例えば、銅、アルミニウム等の金属、グラファイト等の炭素材料等が挙げられるが、なかでも、熱伝導性の観点からグラファイトが好適である。このように、熱伝導シート６１５としては、グラファイトシートが好適であり、市販のグラファイトシートを利用することも可能である。また、不透明な場合、熱伝導シート６１５は、基材（例えば、ＰＣ、エポキシ樹脂、シリコーン、又は、それらの混合物）と、基材内に混入され、熱伝導性が高く、白色以外の色であり、不透明なフィラー（以下、第五のフィラーとも言う。）とを含む材料を用いて形成されてもよく、また、このような材料を用いて形成された複数のシートが積層されたものであってもよい。第五のフィラーの材料としては、例えば、グラファイト等の炭素材料が挙げられる。
【００７３】
熱伝導シート６１５は、液晶パネル６１６の表示領域と対向せず、その外に配置される。したがって、上述のように、熱伝導シート６１５の透明性は必須ではない。熱伝導シート６１５の平面形状は特に限定されず、表示領域の平面形状、発光部６１１のレイアウト等の設計に応じて適宜設定することができる。
【００７４】
熱伝導シート６１５は、配線基板６１３及び光学シート６１４と接触する。熱伝導シート６１５を配線基板６１３及び光学シート６１４に接触させる方法としては、例えば、熱伝導シート６１５を配線基板６１３及び光学シート６１４に接着材又は粘着材で貼り付ける方法、保持部材で熱伝導シート６１５を配線基板６１３及び光学シート６１４に抑え付ける方法等が挙げられるが、なかでも接着剤で貼りつける方法が好ましい。
【００７５】
図１０では、熱伝導シート６１５の一方の端部は、光学シート６１４上に、すなわち、光学シート６１４及び液晶パネル６１６の間に配されているが、光学シート６１４の下に、すなわち、光学シート６１４及び導光板６１０の間に配されてもよい。
【００７６】
実施形態６に係る液晶表示装置６０１では、ＬＥＤ６１２で発生した熱は、配線基板６１３を介して熱伝導シート６１５に伝えられ、熱伝導シート６１５を介して光学シート６１４に伝えられる。そして、光学シート６１４により、液晶パネル６１６の表示領域全体に熱が伝えられ、従来の液晶表示装置では外に放出されていた熱を活用して、液晶パネル６１６の温度を上昇させる。その結果、液晶の高速応答を可能とすることができる。また、発熱パネル等の液晶を加熱するためだけに用いられる構成を必要としないため、発熱パネル等を用いる液晶表示装置よりも、低消費電力で薄型でかつ、低コストとすることができる。
【００７７】
また、実施形態６に係る液晶表示装置６０１においては、液晶パネル６１６の表示領域に重なるように熱伝導シート６１５を配置する必要がない。したがって、熱伝導シート６１５を不透明とすることができるため、その材料として、非常に高い熱伝導性の材料を容易に選択でき、その結果、熱伝導シート６１５の熱伝導性を著しく向上することができる。
【００７８】
実施形態６に係る液晶表示装置６０１のその他の構成（例えば、導光板６１０、発光部６１１、配線基板６１３、液晶パネル６１６、光学シート６１４、保持部材６３０、表側外枠６３１、裏側外枠６３２）は、実施形態１に係る液晶表示装置１の構成と同様であるため、ここでの詳細な説明は省略する。
【００７９】
実施形態７
図１１は、実施形態７に係る液晶表示装置の断面模式図である。図１１に示すように、実施形態７に係る液晶表示装置７０１は、ＬＥＤ７１２から発生した熱を液晶表示装置７０１外に放出するための放熱板（ヒートスプレッダー）７３３を備える。放熱板７３３は、前記周辺部材に相当し、熱伝導シート７１５を介して、ＬＥＤ７１２が取り付けられた配線基板７１３の裏面に取り付けられる。これにより、ＬＥＤ７１２の発熱量が大きく、排熱性能をより高くする必要がある場合、放熱板７３３によって余分な熱を液晶表示装置７０１外に放出しながら、熱伝導シート７１５により液晶パネル７１６の加温を行うことができる。なお、放熱板７３３の取り付け方法としては、例えば、放熱板７３３を熱伝導シート７１５に接着材で貼り付ける方法、配線基板７１３及び放熱板７３３の間に熱伝導シート７１５を挟んだ状態で両者をビス止めする方法等が挙げられる。また、図１１では、熱伝導シート７１５は、配線基板７１３と放熱板７３３との間に設けられているが、放熱板７３３が配線基板７１３の裏面に直接取り付けられ、放熱板７３３の配線基板７１３が取り付けられた面と反対側の面に熱伝導シート７１５が設けられてもよい。
【００８０】
放熱板７３３は、アルミニウム、銅等の熱伝導性の高い金属から形成される。また、放熱板７３３は、その一端を除いて、大部分が導光板７１０の後方に回り込んでいる。また、放熱板７３３は、アルミニウム等の熱伝導性の高い材料から形成された裏側外枠７３２に接している。
【００８１】
実施形態７に係る液晶表示装置７０１のその他の構成（例えば、発光部７１１、光学シート７１４、液晶パネル７１６、保持部材７３０、表側外枠７３１）は、実施形態１に係る液晶表示装置１の構成と同様であるため、ここでの詳細な説明は省略する。
【００８２】
実施形態７に係る液晶表示装置７０１によっても、実施形態６に係る液晶表示装置６０１と同様の効果が得られる。更に、実施形態７に係る液晶表示装置７０１によれば、ＬＥＤ７１２から発せられた過剰な熱を効率よく液晶表示装置７０１外に放出することができる。なお、放熱板７３３の表面積及び熱伝導率を調整することで、排熱性能と液晶パネル７１６に供給される熱量とのバランスを調整することが可能である。
【００８３】
以上、実施形態１〜７について説明したが、実施形態１〜７は、本発明の技術的思想を逸脱しない範囲でさまざまな変更が施されてもよい。また、実施形態１〜７は、適宜組み合わせることが可能である。例えば、実施形態４及び５を組み合わせて、液晶パネルの前面及び背面の両方に熱伝導シートを貼りつけてもよい。これにより、非常に効率よく、液晶パネルにＬＥＤから発せられた熱を伝えることが可能となる。また、実施形態１で説明した各種形態は、他の実施形態にも適宜適用されてもよい。例えば、実施形態２〜７は、図４に示したように、光源として冷陰極管１１２を備える発光部１１１を有していてもよい。
【符号の説明】
【００８４】
１、２０１、３０１、４０１、５０１、６０１、７０１、１００１：液晶表示装置
１０、２１０、３１０、４１０、５１０、６１０、７１０、１０１０：導光板
１１、１１１、２１１、３１１、４１１、５１１、６１１、７１１、１０１１：発光部
１２、２１２、３１２、４１２、５１２、６１２、７１２、１０１２：ＬＥＤ
１３、２１３、３１３、４１３、５１３、６１３、７１３、１０１３：配線基板
１４、２１４、３１４、４１４、５１４、６１４、７１４、１０１４：光学シート
１５、２１５、３１５、４１５、５１５、６１５、７１５：熱伝導シート
１６、２１６、３１６、４１６、５１６、６１６、７１６、１０１６：液晶パネル
１７：偏光板
１８：ＴＦＴ基板
１９：ＣＦ基板
２０：偏光板
３０、２３０、３３０、４３０、５３０、６３０、７３０、１０３０：保持部材
３１、２３１、３３１、４３１、５３１、６３１、７３１、１０３１：表側外枠
３２、２３２、３３２、４３２、５３２、６３２、７３２、１０３２：裏側外枠
１１２：冷陰極管
１１３：反射部材
２３３、７３３、１０３３：放熱板
【図１】
2013137480.tif 000003
【図２】
2013137480.tif 000004
【図３】
2013137480.tif 000005
【図４】
2013137480.tif 000006
【図５】
2013137480.tif 000007
【図６】
2013137480.tif 000008
【図７】
2013137480.tif 000009
【図８】
2013137480.tif 000010
【図９】
2013137480.tif 000011
【図１０】
2013137480.tif 000012
【図１１】
2013137480.tif 000013
【図１２】
2013137480.tif 000014
【図１３】
2013137480.tif 000015